(57)【要約】  本発明は、ＭＣＳをシグナリングする方法を提案する。現在の規格は、より多くのＭＣＳレベルをサポートしてはいない。ＭＣＳをシグナリングするための、ｅＮＢにおける方法は、ｉ．第１のインデックスを有するメッセージを生成するステップ（Ｓ１２）であって、第１のインデックスは、第１のデータセットからＭＣＳレベルを選択するために使用され、第１のデータセットは、６４ＱＡＭよりも高次の１つまたは複数の変調タイプと、所与の変調タイプと、対応する所与のコード・レートとは異なるコード・レートとの１つまたは複数の組合せとのうちのいずれか１つを含んでいる、生成するステップ（Ｓ１２）と、ｉｉ．ＵＥに対して前記第１のインデックスを有する前記メッセージを送信するステップ（Ｓ１４）とを含む。ＭＣＳを受信するための、ＵＥにおける方法は、ａ．第１のインデックスを有するメッセージをｅＮＢから受信するステップであって、第１のインデックスを使用して、第１のデータセットからＭＣＳレベルを選択する、ステップと、ｂ．前記第１のインデックスと、前記第１のデータセットとに従ってＭＣＳを決定するステップとを含む。本発明は、より多くのＭＣＳレベルが、ＵＥに対してシグナリングされることを可能にしており、これは、これらのＭＣＳレベルが、ＬＴＥ−Ａシステムにおいて実装されるための道を開いている。
2016512937.tif 000002
【特許請求の範囲】
【請求項１】
ＭＣＳをシグナリングするための、ｅＮＢにおける方法であって、
ｉ．第１のインデックスを有するメッセージを生成するステップであって、前記第１のインデックスは、第１のデータセットからＭＣＳレベルを選択するために使用され、前記第１のデータセットは、
−  ６４ＱＡＭよりも高次の１つまたは複数の変調タイプと、
−  所与の変調タイプと、対応する所与のコード・レートとは異なるコード・レートとの１つまたは複数の組合せと
のうちのいずれか１つを含んでいる、ステップと、
ｉｉ．ＵＥに対して前記第１のインデックスを有する前記メッセージを送信するステップと
を含む方法。
【請求項２】
前記第１のデータセットは、ＱＰＳＫと、１６ＱＡＭと、６４ＱＡＭと、２５６ＱＡＭを含むより高次の変調タイプとを含むＭＣＳレベルの組を含んでおり、また前記第１のデータセットの中の前記ＭＣＳレベルは、異なるコード・レートを有するこれらの変調タイプの組合せの組であり、前記より高次の変調タイプは、より低い、および／またはより高いコード・レートと組み合わされる、請求項１に記載の方法。
【請求項３】
−  前記ＵＥが、前記第１のデータセットを使用するか否かを決定し、前記ＵＥが、前記第１のデータセットを使用することを決定するときに、前記ステップｉを実行し、そうでない場合には、
ｉ’．第２のインデックスを有するメッセージを生成するステップ
を実行するステップをさらに含み、前記第２のインデックスは、６４ＱＡＭよりもより高次ではない１つまたは複数の変調タイプを含む第２のデータセットからＭＣＳレベルを選択するために使用される、請求項１に記載の方法。
【請求項４】
−  前記ＵＥが、前記第１のデータセットを使用するか、または前記第２のデータセットを使用するかについての表示をＲＲＣシグナリングを介して前記ＵＥに対して送信するステップ
をさらに含み、
前記第１のデータセットは、
ＱＰＳＫ、１６ＱＡＭまたは６４ＱＡＭのないＭＣＳレベルの組、あるいは
ＱＰＳＫと、１６ＱＡＭと、６４ＱＡＭと、２５６ＱＡＭを含むより高次の変調タイプとを含むＭＣＳレベルの組
から構成され、これらのＭＣＳレベルは、コード・レートとのこれらの変調タイプの組合せのサブセットである、請求項３に記載の方法。
【請求項５】
−  前記ＵＥが、前記第１のデータセットを使用するか、または前記第２のデータセットを使用するかについての表示をＲＲＣシグナリングを介して前記ＵＥに対して送信するステップ
をさらに含み、
前記第２のデータセットは、
６４ＱＡＭよりも高次ではない１つまたは複数の変調タイプを有するＭＣＳレベルの組、あるいは
ＱＰＳＫと、１６ＱＡＭと、６４ＱＡＭと、２５６ＱＡＭを含むより高次の変調タイプとを含むＭＣＳレベルの組
から構成され、これらのＭＣＳレベルは、コード・レートとのこれらの変調タイプの組合せのサブセットである、請求項３に記載の方法。
【請求項６】
前記決定するステップは、前記ＵＥが、前記ＵＥのカテゴリに従って、前記第１のデータセットを使用するか、または前記第２のデータセットを使用するかを決定し、また前記カテゴリは、
前記ＵＥの通信能力と、
前記ＵＥの実装サポートと、
前記ＵＥのサービス・レベルと
のうちの少なくともいずれか１つのＵＥ機能に関連している、請求項３に記載の方法。
【請求項７】
前記第１のデータセットは、ＱＰＳＫと、１６ＱＡＭと、６４ＱＡＭと、２５６ＱＡＭを含むより高次の変調タイプとを含む１つまたは複数の変調タイプを有するＭＣＳレベルの組から構成され、また前記ＭＣＳレベルは、コード・レートとのこれらの変調タイプの組合せのサブセットである、請求項６に記載の方法。
【請求項８】
前記第１のインデックスと、前記第２のインデックスとの長さは、５ビットであり、また前記メッセージは、ＤＣＩフォーマットである、請求項３に記載の方法。
【請求項９】
ＭＣＳを受信するための、ＵＥにおける方法であって、
ａ．第１のインデックスを有するメッセージをｅＮＢから受信するステップであって、前記第１のインデックスは、第１のデータセットからＭＣＳレベルを選択するために使用され、前記第１のデータセットは、
−  ６４ＱＡＭよりも高次の１つまたは複数の変調タイプと、
−  所与の変調タイプと、対応する所与のコード・レートとは異なるコード・レートとの１つまたは複数の組合せと
のうちのいずれか１つを含んでいる、ステップと、
ｂ．前記第１のインデックスと、前記第１のデータセットとに従って前記ＭＣＳを決定するステップと
を含む方法。
【請求項１０】
前記第１のデータセットは、ＱＰＳＫと、１６ＱＡＭと、６４ＱＡＭと、２５６ＱＡＭを含むより高次の変調タイプとを含むＭＣＳレベルの組を含んでおり、
また前記第１のデータセットの中の前記ＭＣＳレベルは、異なるコード・レートとのこれらの変調タイプの組合せの組であり、前記より高次の変調タイプは、より低い、および／またはより高いコード・レートと組み合わされる、請求項９に記載の方法。
【請求項１１】
−  前記ＵＥが、前記第１のデータセットを使用するか否かを決定し、前記ＵＥが、前記第１のデータセットを使用することを決定するときに、前記ステップａおよびｂを実行し、そうでない場合には、
ａ’．第２のインデックスを有する別のメッセージをｅＮＢから受信するステップであって、前記第２のインデックスは、６４ＱＡＭよりも高次ではない１つまたは複数の変調タイプを含む第２のデータセットからＭＣＳレベルを選択するために使用される、ステップと、
ｂ．前記第２のインデックスと、前記第２のデータセットとに従って前記ＭＣＳを決定するステップとを実行するステップをさらに含む、請求項９に記載の方法。
【請求項１２】
前記第１のデータセットは、
ＱＰＳＫ、１６ＱＡＭ、または６４ＱＡＭのないＭＣＳレベルの組、あるいは
ＱＰＳＫと、１６ＱＡＭと、６４ＱＡＭと、２５６ＱＡＭを含むより高次の変調タイプとを含むＭＣＳレベルの組
から構成され、これらのＭＣＳレベルは、コード・レートとのこれらの変調タイプの組合せのサブセットであり、
前記第２のデータセットは、
６４ＱＡＭよりも高次でない１つまたは複数の変調タイプを有するＭＣＳレベルの組、あるいは
ＱＰＳＫと、１６ＱＡＭと、６４ＱＡＭと、２５６ＱＡＭを含むより高次の変調タイプとを含むＭＣＳレベルの組
から構成され、これらのＭＣＳレベルは、コード・レートとのこれらの変調タイプの組合せのサブセットであり、
前記第１のインデックスと、前記第２のインデックスとの長さは、５ビットであり、また前記メッセージと、前記別のメッセージとは、ＤＣＩフォーマットである、請求項１１に記載の方法。
【請求項１３】
ＭＣＳをシグナリングする方法であって、
−  第１のインデックスを有するメッセージを生成するステップと、
−  前記第１のインデックスを有する前記メッセージをＵＥに対して送信するステップと、
−  第２のインデックスを有する別のメッセージを生成するステップと、
−  前記第２のインデックスを有する前記別のメッセージを前記ＵＥに対して送信するステップと
を含み、前記第２のインデックスは、前記第１のインデックスに対する調整を示すために使用され、また前記第１のインデックスと、前記第２のインデックスとは、一緒にＭＣＳレベルを決定するためのものである、方法。
【請求項１４】
前記第２のインデックスを有する前記別のメッセージを送信する前記ステップと、前記第１のインデックスを有する前記メッセージを送信する前記ステップとは、それぞれ、連続したサブフレームの形または特定の間隔内のサブフレームの形で行われ、
また前記第１のインデックスと、前記第２のインデックスとによって決定される前記ＭＣＳレベルは、前記変調タイプが、６４ＱＡＭよりも高次の１つまたは複数の変調タイプを含んでいる、ＭＣＳレベルの組からのものであり、また
前記第１のインデックスと、前記第２のインデックスとの長さは、５ビットであり、また前記メッセージと、前記別のメッセージとは、ＤＣＩフォーマットである、請求項１３に記載の方法。
【請求項１５】
ＭＣＳを受信する方法であって、
−  第１のインデックスを有するメッセージを受信するステップと、
−  第２のインデックスを有する別のメッセージを受信するステップであって、前記第２のインデックスは、前記第１のインデックスに対する調整を示すために使用され、また前記第１のインデックスと、前記第２のインデックスとは、ＭＣＳレベルを一緒に決定するためのものである、ステップと、
−  前記第１のインデックスと、前記第２のインデックスとに従って前記ＭＣＳを決定するステップと
を含む方法。
【請求項１６】
前記第２のインデックスを有する前記別のメッセージを受信する前記ステップと、前記第１のインデックスを有する前記メッセージを受信する前記ステップとは、それぞれ、連続したサブフレームの形または特定の間隔内のサブフレームの形で行われ、
また前記第１のインデックスと、前記第２のインデックスとによって決定される前記ＭＣＳレベルは、前記変調タイプが、６４ＱＡＭよりも高次の１つまたは複数の変調タイプを含んでいる、ＭＣＳレベルの組からのものであり、また
前記第１のインデックスと、前記第２のインデックスとの長さは、５ビットであり、また前記メッセージと、前記別のメッセージとは、ＤＣＩフォーマットである、請求項１５に記載の方法。
【発明の詳細な説明】
【技術分野】
【０００１】
本開示は、ワイヤレス通信に関し、詳細には、ワイヤレス通信におけるシグナリングに関する。
【背景技術】
【０００２】
近年、スモール・セルの概念が、フェムト／ピコ／マイクロセルなど、すべての短距離の無線セルのファミリについて説明するために導入されており、セルラー構造の制約条件から事実上離れる認識および認知を使用し、屋外容量および屋内容量を増大させている。スモール・セル・ネットワークは、それらのエネルギー消費を低減させながら、セルラー・ネットワークの容量をかなり増大させる可能性を有しているが、それらは、最適なシステム設計に対して多数の新しい課題を課している。
【０００３】
３ＧＰＰ  ＴＳＧ  ＲＡＮワークショップにおいて、ＬＴＥスモール・セルの拡張機能についての新しい研究項目の提案が、ＬＴＥ−進化型リリース−１２（ＲＰ−１２２０３２、Ｈｕａｗｅｉ、ＨｉＳｉｌｉｃｏｎ、ＣＡＴＲ、「Ｎｅｗ  Ｓｔｕｄｙ  Ｉｔｅｍ  Ｐｒｏｐｏｓａｌ  ｆｏｒ  Ｓｍａｌｌ  Ｃｅｌｌ  Ｅｎｈａｎｃｅｍｅｎｔｓ  ｆｏｒ  Ｅ−ＵＴＲＡ  ａｎｄ  Ｅ−ＵＴＲＡＮ−Ｐｈｉｓｉｃａｌ−ｌａｙｅｒ  Ａｓｐｅｃｔｓ」、Ｂａｒｃｅｌｏｎａ、Ｓｐａｉｎ、３ＧＰＰ  ＴＳＧ−ＲＡＮ  Ｍｅｅｔｉｎｇ  ＃５８、２０１２年１２月）について合意された。この研究の目的のうちの１つは、スペクトル効率を、すなわち、典型的なカバレッジ状況における達成可能なユーザ・スループットを改善する可能性のある拡張機能を識別することである。ダウンリンク（ＤＬ：ｄｏｗｎｌｉｎｋ）のより高次の変調スキーム（例えば、２５６ＱＡＭ）は、スモール・セルにおける高いピーク・データ・レートを達成する魅力的な問題解決手法として提案された。
【０００４】
より高次の変調スキームを使用するシステムは、マルチパス伝搬効果、セル間干渉、および熱雑音、ならびに実際の製造制約条件によって課される劣化の影響をより受けやすい可能性がある。より高次の変調についてのこの感受性は、トランシーバと、電力増幅器との線形性に対してより厳しい要件を課している。幸いにも、これらの課題は、包括的に研究されており、また近年では、いくつかのより複雑なＲＦチェーンを用いて対処される可能性がある。それゆえに、２５６ＱＡＭが、オプション機能としてＬＴＥ−進化型スモール・セル・システムによって採用される可能性がある。
【先行技術文献】
【非特許文献】
【０００５】
【非特許文献１】ＬＴＥ−進化型リリース−１２（ＲＰ−１２２０３２、Ｈｕａｗｅｉ、ＨｉＳｉｌｉｃｏｎ、ＣＡＴＲ、「Ｎｅｗ  Ｓｔｕｄｙ  Ｉｔｅｍ  Ｐｒｏｐｏｓａｌ  ｆｏｒ  Ｓｍａｌｌ  Ｃｅｌｌ  Ｅｎｈａｎｃｅｍｅｎｔｓ  ｆｏｒ  Ｅ−ＵＴＲＡ  ａｎｄ  Ｅ−ＵＴＲＡＮ−Ｐｈｉｓｉｃａｌ−ｌａｙｅｒ  Ａｓｐｅｃｔｓ」、Ｂａｒｃｅｌｏｎａ、Ｓｐａｉｎ、３ＧＰＰ  ＴＳＧ−ＲＡＮ  Ｍｅｅｔｉｎｇ  ＃５８、２０１２年１２月）
【発明の概要】
【発明が解決しようとする課題】
【０００６】
ダウンリンク・データの送信と受信とをサポートするために、ダウンリンクＬ１／Ｌ２制御シグナリングを使用して、ＵＥが、成分キャリアの上でＤＬ−ＳＣＨを適切に受信し、復調し、また復号することができるようにするために必要とされる情報を含めて、ダウンリンク・スケジューリング割り当てを動的に伝える。それらのうちでも、ＤＬデータを送信するためにｅＮＢによって使用されるべきである変調および符号化のスキーム（ＭＣＳ：ｍｏｄｕｌａｔｉｏｎ  ａｎｄ  ｃｏｄｉｎｇ  ｓｃｈｅｍｅ）は、ＵＥに対してシグナリングされるべきであり、それによってＵＥが、対応する復調および復号化のスキームを使用して、データを回復させることを可能にしている。
【０００７】
ＤＣＩフォーマットの１／１Ａ／１Ｂ／１Ｃ／１Ｄと、２／２Ａ／２Ｂ／２Ｃとから成るダウンリンクＬ１／Ｌ２制御シグナリングにおいて、各トランスポート・ブロックの変調および符号化のスキーム（ＭＣＳ）フィールドは、５つの情報ビットを占有する。ＵＥは、最初にＤＣＩの中の５−ビットのＭＣＳフィールド（ＩＭＣＳ）を読み取り、また次いで表１に従って、物理ダウンリンク共用チャネル（ＰＤＳＣＨ：ｐｈｙｓｉｃａｌ  ｄｏｗｎｌｉｎｋ  ｓｈａｒｅｄ  ｃｈａｎｎｅｌ）における変調タイプおよびトランスポート・ブロック・サイズを決定する。そこでは、トランスポート・ブロック・サイズは、コード・レートに対応している。
【０００８】
【表１】
2016512937.tif 000003
【０００９】
変調タイプＱｍ＝２、４、６は、それぞれＱＰＳＫと、１６ＱＡＭと、６４ＱＡＭとに対応する。各変調タイプは、７〜１２個のＭＣＳレベル（異なるＴＢＳインデックス（トランスポート・ブロック・サイズ）、これは、コード・レートに対応している）から構成されることが、表から観察され得る。またこの５−ビットのＭＣＳフィールドは、ＱＰＳＫと、１６ＱＡＭと、６４ＱＡＭとによって使い尽くされていることが分かる。
【００１０】
その結果として、ＤＣＩフォーマットにおいて５つの情報ビットから構成される現在のＭＣＳフィールドは、２５６  ＱＡＭまでの追加のより高次の変調を示すことができない。どのようにしてＵＥに対して２５６  ＱＡＭのＭＣＳをシグナリングするべきかは、本発明の実施形態によって解決されるべき技術的問題である。加えて、既存の変調タイプについてより多くのコード・レートをサポートする必要性が存在する場合、この必要性は、本ＤＣＩフォーマットの中に十分に使用可能な情報ビットが残されていないことに起因して、満たされない可能性もある。
【００１１】
この懸案事項により良く対処するために、本発明の実施形態についての１つの基本的な発明の概念は、第１のデータセットからのインデックスを使用して、より高次の変調またはより多くのコード・レートを示すことである。
【課題を解決するための手段】
【００１２】
本発明の第１の態様においては、ＭＣＳをシグナリングするための、ｅＮＢにおける方法であって、ｉ．第１のインデックスを有するメッセージを生成するステップであって、第１のインデックスは、第１のデータセットからＭＣＳレベルを選択するために使用され、第１のデータセットは、６４ＱＡＭよりも高次の１つまたは複数の変調タイプと、所与の変調タイプと、対応する所与のコード・レートとは異なるコード・レートとの１つまたは複数の組合せとのうちのいずれか１つを含んでいる、ステップと、ｉｉ．ＵＥに対して前記第１のインデックスを有する前記メッセージを送信するステップとを含む方法が、提案される。
【００１３】
この態様においては、一方では、第１のデータセットは、６４ＱＡＭよりも高次の１つまたは複数の変調タイプを含んでいる。それゆえに、より高次の変調タイプが、シグナリングされる可能性がある。ＭＣＳマッピングの新しい問題解決手法を用いて、より高次の変調は、スモール・セル拡張機能のためのより高いスペクトル効率を達成するためにサポートされる可能性があり、ＬＴＥシステムにおいて２５６ＱＡＭなど、より高次の変調を実装する道を開いている。
【００１４】
追加として、または代わりに、他方では、第１のデータセットは、所与の変調タイプと、対応する所与のコード・レートとは異なるコード・レートとの１つまたは複数の組合せを含んでいる。「所与の変調タイプ」は、ＬＴＥにおける既存の変調タイプを、すなわち、ＱＰＳＫと、１６ＱＡＭと、６４  ＱＡＭとを意味しており、また「所与のコード・レート」は、それぞれ既存の変調タイプの各々についての既存のコード・レートを意味している。それゆえに、既存の変調タイプについてのより高いコード・レートが、サポートされる可能性がある。
【００１５】
好ましい実施形態においては、そこでは、前記第１のデータセットは、ＱＰＳＫと、１６ＱＡＭと、６４ＱＡＭと、２５６ＱＡＭを含むより高次の変調タイプとを含むＭＣＳレベルの組を含んでおり、また前記第１のデータセットの中の前記ＭＣＳレベルは、異なるコード・レートを有するこれらの変調タイプの組合せの組であり、そこでは、より高次の変調タイプは、より低い、および／またはより高いコード・レートと組み合わされる。
【００１６】
この実施形態においては、すべての変調タイプは、１つの第１のインデックスによって直接に示される可能性があり、またこれは、ｅＮＢと、ＵＥとの両方のために非常に便利である。
【００１７】
別の好ましい実施形態においては、本方法は、
−  ＵＥが、第１のデータセットを使用するか否かを決定し、ＵＥが、第１のデータセットを使用することを決定するときに、前記ステップｉを実行し、そうでない場合には、
ｉ’．第２のインデックスを有するメッセージを生成するステップを実行するステップをさらに含み、前記第２のインデックスは、６４ＱＡＭよりもより高次ではない１つまたは複数の変調タイプを含む第２のデータセットからＭＣＳレベルを選択するために使用される。
【００１８】
この実施形態においては、第１のデータセットと、第２のデータセットとは、高次の変調と、低次の変調とについてそれぞれ提案される。選択性が実現される。さらに、第１のインデックスと、第２のインデックスとのうちの各々が、すべての変調タイプのうちの一部分を示すので、それらは、必ずしも過剰に長いとは限らず、このようにして、これらのインデックスの送信するステップと検出とは、簡単になる。
【００１９】
さらなる一実施形態においては、本方法は、
−  ＵＥが、第１のデータセットを使用するか、または第２のデータセットを使用するかについての表示をＲＲＣシグナリングを介してＵＥに対して送信するステップ
を含む。
【００２０】
この実施形態においては、ＵＥが、高次のデータセットを使用するか、または低次のデータセットを使用するかは、ｅＮＢにより、決定され、またシグナリングされる。またｅＮＢは、ＵＥの位置やＣＩＳなどのＵＥステータスに従ってこれを制御することができ、またゆっくり時間が変化するように、ＲＲＣを介してＵＥに対してこれをシグナリングする。この表示は、そのステータスの下でＵＥについての一般的なＭＣＳ状態を反映する可能性がある。その後に、第１または第２のインデックスは、速く時間が変化するように、ＰＤＣＣＨにおいて送信される可能性があり、またこのインデックスは、ＵＥについての特定のＭＣＳレベルを表す可能性があり、また高いリアル・タイム特性を有する。
【００２１】
別のさらなる実施形態においては、前記第１のデータセットは、
ＱＰＳＫ、１６ＱＡＭまたは６４ＱＡＭのないＭＣＳレベルの組、あるいは
ＱＰＳＫと、１６ＱＡＭと、６４ＱＡＭと、２５６ＱＡＭを含むより高次のものとを含むＭＣＳレベルの組
から構成され、これらのＭＣＳレベルは、コード・レートとのこれらの変調についての組合せのサブセットである。
【００２２】
この実施形態においては、１つの場合には、第１のデータセットは、ＱＰＳＫ、１６ＱＡＭ、６４ＱＡＭなど１つの低次の変調タイプを含んではおらず、それゆえに、現在の規格に関して、この次数についての情報ビットは、２５６ＱＡＭなど、より高次のもののために節約される可能性がある。
【００２３】
別の場合には、高次変調タイプと、低次変調タイプとの両方が、含まれ、それゆえに、広い変調タイプの範囲が、実現される可能性があり、またこれらの変調タイプについてのいくつかのコード・レートは、含まれておらず、このようにして、現在の規格に関して、これらのコード・レートについての情報ビットは、２５６ＱＡＭなど、より高次のもののために節約される可能性がある。
【００２４】
これらの２つの場合には、第１のインデックスの長さは、第１のデータセットのサイズの制限に起因してあまりにも長すぎる必要はなく、それによって簡単にインデックスを送信し、また検査する。
【００２５】
さらに別のさらなる実施形態においては、前記第２のデータセットは、
６４ＱＡＭよりも高次ではない１つまたは複数の変調タイプを有するＭＣＳレベルの組、あるいは
ＱＰＳＫと、１６ＱＡＭと、６４ＱＡＭと、２５６ＱＡＭを含むより高次のものとを含むＭＣＳレベルの組
から構成され、これらのＭＣＳレベルは、コード・レートとのこれらの変調の組合せのサブセットである。
【００２６】
この実施形態においては、低次の変調についての第２のデータセットについての２つの特定のタイプが、提案される。第１のタイプは、現在の規格において、ＭＣＳビットを再使用することができる。また第２のタイプは、広い変調タイプの範囲を提供することができる。これらの２つのタイプにおいては、第２のインデックスの長さは、第２のデータセットのサイズの制限に起因してあまりにも長すぎる必要はなく、それによって簡単にインデックスを送信し、また検査している。
【００２７】
一実施形態においては、前記決定するステップは、ＵＥが、ＵＥのカテゴリに従って、第１のデータセットを使用するか、または第２のデータセットを使用するかを決定し、また前記カテゴリは、
ＵＥの通信能力と、
ＵＥの実装サポートと、
ＵＥのサービス・レベルと
のうちの少なくともいずれか１つのＵＥ機能に関連している。
【００２８】
この実施形態においては、ｅＮＢは、ＵＥのカテゴリに従ってＵＥが、第１のデータセットを使用するか、または第２のデータセットを使用するかを決定し、またＵＥに通知する必要はない。ＵＥはまた、ｅＮＢに整合したＵＥのカテゴリに従って、ＵＥが、第１のデータセットを使用するか、または第２のデータセットを使用するかを決定する。それゆえに、選択性は、ｅＮＢと、ＵＥとの間の追加のシグナリングなしに実現され、またシグナリング・オーバーヘッドが、回避される。またスケジューリングの柔軟性と、適切性とは、ＵＥ機能に従って第１のデータセットまたは第２のデータセットを選択することにより改善され、これは、変調タイプが、ＵＥ機能に従って妥当に選択されることを可能にする。第１のデータセットは、高次の変調に対応し、また第２のデータセットは、低次の変調に対応することが好ましい。ハイエンドのＵＥは、高次の変調を選択することができるが、ローエンドのＵＥは、低次の変調を選択することができる。
【００２９】
一実施形態においては、第１のインデックスと、第２のインデックスとの長さは、５ビットであり、またメッセージは、ＤＣＩフォーマットである。
【００３０】
この実施形態においては、現在の規格のＤＣＩフォーマットにおけるＭＣＳフィールドは、第１のインデックスまたは第２のインデックスを搬送するために使用される可能性がある。したがって、現在のＭＣＳフィールドと、ＤＣＩフォーマットとは、どのような修正も必要とはしておらず、またそれゆえに、良好な後方互換性が、実現される。
【００３１】
それに応じて、本発明の第２の態様においては、ＭＣＳを受信するための、ＵＥにおける方法が、提案される。本方法は、
ａ．第１のインデックスを有するメッセージをｅＮＢから受信するステップであって、第１のインデックスは、第１のデータセットからＭＣＳレベルを選択するために使用され、第１のデータセットは、
−  ６４ＱＡＭよりも高次の１つまたは複数の変調タイプと、
−  所与の変調タイプと、対応する所与のコード・レートとは異なるコード・レートとの１つまたは複数の組合せと
のうちのいずれか１つを含んでいる、ステップと、
ｂ．前記第１のインデックスと、前記第１のデータセットとに従ってＭＣＳを決定するステップと
を含む。
【００３２】
本発明の実施形態についての別の基本的な発明の概念においては、２つのインデックスを一緒に使用して、変調タイプと、コード・レートとの組合せであるＭＣＳレベルを示す。
【００３３】
本発明の第３の態様においては、ＭＣＳをシグナリングする方法は、
−  第１のインデックスを有するメッセージを生成するステップと、
−  第１のインデックスを有するメッセージをＵＥに対して送信するステップと、
−  第２のインデックスを有する別のメッセージを生成するステップと、
−  前記第２のインデックスを有する前記別のメッセージをＵＥに対して送信するステップと
を含み、前記第２のインデックスは、第１のインデックスに対する調整を示すために使用され、また前記第１のインデックスと、前記第２のインデックスとは、一緒にＭＣＳレベルを決定するためのものである。
【００３４】
この態様においては、２−ステージのシグナリングする方法が、ＵＥに対してＭＣＳをシグナリングするために提案される。特定のＵＥについて、スモール・セルにおけるＵＥの限られた数と、ＵＥの低モビリティの特性とを考慮すると、リンクの適応は、限られた時間ウィンドウの内部であまりにも多すぎるＭＣＳレベルに広がらないこともある。それゆえに、ＭＣＳに対する調整は、新しいＭＣＳにシグナリングする代わりに、最適化されたＭＳＣのために十分である。第２に、２つのインデックスは、広範囲の変調タイプを対象として含むことができる。さらに、第２のインデックスが、第１のインデックスを調整するために使用される可能性があるので、第１のインデックスと、第２のインデックスとの両方が、必ずしも長いとは限らない。
【００３５】
好ましい実施形態においては、第２のインデックスを有する別のメッセージを送信する前記ステップと、第１のインデックスを有するメッセージを送信する前記ステップとは、それぞれ、連続したサブフレームの中に、または特定の間隔内のサブフレームの中にある。
【００３６】
この実施形態においては、万一第２のインデックスが、第１のインデックスの直後に、またはすぐ後に送信される場合には、ＵＥは、第２のインデックスが、新しいＭＣＳの代わりの調整であることを決定することができる。第２のインデックスが、調整であることを示す追加のオーバーヘッドは、存在してはいない。
【００３７】
好ましい実施形態においては、第１のインデックスと、第２のインデックスとによって決定されるＭＣＳレベルは、６４ＱＡＭよりも高次の１つまたは複数の変調タイプを含めて、変調タイプを有するＭＣＳレベルの組からのものである。
【００３８】
この実施形態においては、２つのインデックスは、２５６ＱＡＭを含めて、広範囲の変調タイプを対象として含むことができ、それによってＬＴＥシステムについての２５６ＱＡＭを実現することを可能にする（ｐａｙ  ｔｈｅ  ｗａｙ）。
【００３９】
好ましい実施形態においては、第１のインデックスと、第２のインデックスとの長さは、５ビットであり、またメッセージは、ＤＣＩフォーマットである。
【００４０】
この実施形態においては、現在の規格のＤＣＩフォーマットにおけるＭＣＳフィールドは、第１のインデックスと、第２のインデックスとを搬送するために使用される可能性がある。それゆえに、現在のＭＣＳフィールドと、ＤＣＩフォーマットとは、どのような修正も必要としておらず、またそれゆえに良好な後方互換性が、実現される。
【００４１】
本発明の第４の態様においては、それに応じて、ＭＣＳを受信する方法であって、
−  第１のインデックスを有するメッセージを受信するステップと、
−  第２のインデックスを有する別のメッセージを受信するステップであって、前記第２のインデックスは、第１のインデックスに対する調整を示すために使用され、また前記第１のインデックスと、前記第２のインデックスとは、ＭＣＳレベルを一緒に決定するためのものである、ステップと、
−  第１のインデックスと、第２のインデックスとに従ってＭＣＳを決定するステップと
を含む方法が、提案される。
【００４２】
本発明のこれらの態様および他の態様は、以下で説明される実施形態（単数または複数）を参照すれば、明らかであり、また明らかにされるであろう。
【００４３】
本発明の特徴、態様および利点は、添付の図面の助けを用いて、非限定的な実施形態についての以下の説明を読むことにより明らかになるであろう。
【図面の簡単な説明】
【００４４】
【図１】ｅＮＢからＵＥへとＭＣＳをシグナリングするための、本発明の一実施形態のフロー・チャートを示す図である。
【発明を実施するための形態】
【００４５】
上記図面を通して、同様な参照番号は、同様な、類似した、または対応する特徴または機能を指すと理解されるであろう。
【００４６】
本発明は、ＭＣＳをシグナリングするための、ｅＮＢにおける方法であって、
ｉ．第１のインデックスを有するメッセージを生成するステップであって、第１のインデックスは、第１のデータセットからＭＣＳレベルを選択するために使用され、第１のデータセットは、
−  ６４ＱＡＭよりも高次の１つまたは複数の変調タイプと、
−  所与の変調タイプと、対応する所与のコード・レートとは異なるコード・レートとの１つまたは複数の組合せと
のうちのいずれか１つを含んでいる、ステップと、
ｉｉ．ＵＥに対して前記第１のインデックスを有する前記メッセージを送信するステップと
を含む方法を提案している。
【００４７】
それに応じて、本発明はまた、ＭＣＳを受信するための、ＵＥにおける方法であって、
ａ．第１のインデックスを有するメッセージをｅＮＢから受信するステップであって、第１のインデックスは、第１のデータセットからＭＣＳレベルを選択するために使用され、第１のデータセットは、
−  ６４ＱＡＭよりも高次の１つまたは複数の変調タイプと、
−  所与の変調タイプと、対応する所与のコード・レートとは異なるコード・レートとの１つまたは複数の組合せと
のうちのいずれか１つを含んでいる、ステップと、
ｂ．前記第１のインデックスと、前記第１のデータセットとに従ってＭＣＳを決定するステップと
を含む方法を提案している。
【００４８】
以下の説明は、本発明の異なる実施形態を明らかにするであろう。
【００４９】
実施形態１
この実施形態においては、第１のデータセットは、ＱＰＳＫと、１６ＱＡＭと、６４ＱＡＭと、２５６ＱＡＭを含むより高次の変調タイプとを含むＭＣＳレベルの組を含んでおり、また第１のデータセットの中のＭＣＳレベルは、異なるコード・レートを有するこれらの変調タイプの組合せの組であり、そこではより高次の変調タイプは、より低い、および／またはより高いコード・レートと組み合わされる。
【００５０】
第１のデータセットについての一例が、以下の表２の中に示される可能性がある。
【００５１】
【表２−１】
2016512937.tif 000004
【表２−２】
2016512937.tif 000005
【００５２】
そこでは、変調タイプ２、４、６、および８は、それぞれ、ＱＰＳＫ、１６ＱＡＭ、６４ＱＡＭ、および２５６ＱＡＭを意味する。
【００５３】
表２において、２５６ＱＡＭは、１０個のＭＣＳレベルを、すなわち、２５６ＱＡＭと、異なるコード・レートとの１０個の組合せを有する。現在の表１と、表２を比較することにより、より高次の変調（例えば、２５６ＱＡＭ）についての追加の１０個のＭＣＳレベルは、追加の４つの情報ビットを必要とすることが分かる。それゆえに、ＤＣＩフォーマットにおける現在の５−ビットのＭＣＳフィールドは、９つの情報ビットへと拡張される可能性があり、これは、新しいＤＣＩフォーマットと、ＭＣＳフィールド・フォーマットとを導入している。２５６ＱＡＭについてのＭＣＳレベルの他の数もまた、適用可能であることを理解すべきである。２５６ＱＡＭは、７〜１２個のＭＣＳレベル、またはそれより多くさえも含む可能性がある。
【００５４】
ｅＮＢによって送信される第１のインデックスを受信した後に、ＵＥは、第１のデータセットの中の第１のインデックスに対応する変調タイプ・インデックスとＴＢＳインデックスとを検索して、ｅＮＢによって使用されるＭＣＳレベルを決定する。第１のデータセットは、ＵＥが、ネットワークにアクセスするときに、ＵＥにあらかじめ記憶されており、または前もってｅＮＢによって送信されている可能性がある。
【００５５】
１２８ＱＡＭなど、６４ＱＡＭよりも高次の、他の変調タイプはまた、第１のデータセットに組み込まれている可能性もあることに留意すべきである。将来においてさえも、２５６ＱＡＭよりも高次の、より高次の変調タイプはまた、第１のデータセットに組み込まれている可能性もある。
【００５６】
実施形態２
この実施形態においては、２つのデータセットを使用して、インデックスと、ＭＣＳレベルとの異なる対応する関係を示すことができる。ｅＮＢと、ＵＥとは、どちらの１つを使用すべきかを決定する。そこでは、２つのデータセットが、低次の変調と、高次の変調とのためにそれぞれ使用される可能性があることが好ましい。
【００５７】
図１に示されるように、ステップＳ１０において、ｅＮＢは、ＵＥが、第１のデータセットを使用するか否かを決定する。具体的には、一実施形態においては、第１のデータセットは、高次の変調に対応する。次いで、ｅＮＢは、ｅＮＢからＵＥへのダウンリンク・チャネル状態を取得することができ、また万一チャネル状態が、優れている場合に、ＵＥが、２５６ＱＡＭなど、高次の変調を使用することを決定する。別の実施形態においては、ｅＮＢは、ＵＥが、ＵＥのカテゴリに従って第１のデータセットを使用するか否かを、例えば、ＵＥが、ハイエンドのＵＥであるか、またはＶＩＰ加入者に属するかを決定する。
【００５８】
万一ｅＮＢが、第１のデータセットを使用することを決定する場合には、本方法は、ステップＳ１２へと進む。ステップＳ１２においては、ｅＮＢは、第１のインデックスを有するメッセージを生成し、そこでは第１のインデックスは、第１のデータセットからＭＣＳレベルを選択するために使用され、第１のデータセットは、ＱＰＳＫ、１６ＱＡＭ、または６４ＱＡＭのない１組のＭＣＳレベルから成る。第１の組についての一例は、表３に示される。
【００５９】
【表３】
2016512937.tif 000006
【００６０】
そこでは、変調タイプ４、６、および８は、それぞれ、１６ＱＡＭ、６４ＱＡＭ、および２５６ＱＡＭを意味する。第１のインデックス（ＭＣＳインデックス）の長さは、５−ビットであり、またそれは、現在の規格においてＭＣＳフィールドと同じであることが好ましい。この実施形態においては、ＱＰＳＫが、取り除かれるが、他の可能性のある実施形態においては、１６ＱＡＭまたは６４ＱＡＭのいずれかが、ＱＰＳＫの代わりに取り除かれる可能性がある。
【００６１】
代替的な一実施形態においては、すべての変調タイプ、すなわちＱＰＳＫと、１６ＱＡＭと、６４ＱＡＭと、２５６ＱＡＭとが、第１のデータセットの中に含まれるが、現在の規格に関しては、それらの対応するコード・レートのうちの一部分だけが、採用され、またＭＣＳレベルの総数は、３２として維持される。したがって、５−ビットの長さを有する第１のインデックスは、第１のデータセットの中のＭＣＳを示すのに十分であり、また現在の５−ビットのＭＣＳフィールドはまた、第１のインデックスを受け入れるのに十分である。それゆえに、現在のＭＣＳフィールドと、ＤＣＩフォーマットとは、再使用される可能性がある。第１の組についての一例が、表４に示される。
【００６２】
【表４】
2016512937.tif 000007
【００６３】
表１と比較すると、ＱＰＳＫと、１６ＱＡＭと、６４ＱＡＭとは、ＭＣＳレベルとなるように、また２５６ＱＡＭと、各々の対応するコード・レートとを追加するように、部分的なコード・レートと組み合わせられるにすぎないことが、表４から分かる。
【００６４】
万一ｅＮＢが、低次の変調タイプを使用すること決定する場合、本方法は、ステップＳ１２’へと進む。ステップＳ１２’において、ｅＮＢは、第２のインデックスを有するメッセージを生成し、そこでは前記第２のインデックスは、６４ＱＡＭよりも高次ではない１つまたは複数の変調タイプを含む第２のデータセットからＭＣＳレベルを選択するために使用される。
【００６５】
具体的には、一実施形態においては、第２のデータセットは、６４ＱＡＭよりも高次ではない１つまたは複数の変調タイプを有する１組のＭＣＳレベルから成る。この第２のデータセットについての１つの例は、表１に示されるように、現在の規格におけるデータセットである。
【００６６】
別の実施形態においては、すべての変調タイプは、すなわち、ＱＰＳＫと、１６ＱＡＭと、６４ＱＡＭと、２５６ＱＡＭとは、第２のデータセットの中に含まれるが、現在の規格に対して、それらの対応するコード・レートは、部分的に取り除かれ、またＭＣＳレベルの総数は、３２として維持される。したがって、５−ビットの第１のインデックスはまた、十分であり、また現在のＭＣＳフィールドと、ＤＣＩフォーマットとは、再使用される可能性がある。第１のデータセットと、第２のデータセットとの両方は、ＭＣＳレベルにおいて異なる可能性のある２５６ＱＡＭの変調を含む可能性があることが、理解され得る。第１のデータセットにおける高次の変調は、２５６ＱＡＭと組み合わされた様々なコード・レートをより良く示すようにするために、ＭＣＳレベルのより多くの量に対応する。対照的に、第２のデータセットにおける高次の変調は、ＭＣＳレベルのより少ない量を含み、また低次の変調についてのより多くのＭＣＳレベルを含むことができる。
【００６７】
ステップＳ１２またはＳ１２’の後に、ｅＮＢは、ＵＥに対して第１のインデックスまたは第２のインデックスを有する生成されたメッセージを送信する。その一方で、ステップＳ２０において、ＵＥは、このメッセージを受信する。
【００６８】
ステップＳ２２において、ＵＥは、ＵＥが第１のデータセットを使用するか否かを決定する。
【００６９】
一例においては、ステップＳ１０の後に、ｅＮＢは、さらに、ＵＥが、第１のデータセットを使用するか、または第２のデータセットを使用するかについての表示をＲＲＣシグナリングを介してＵＥに対して送信する。またＵＥは、この表示を受信する。ＲＲＣシグナリングは、ＵＥ特有のシグナリングであり、ｅＮＢは、ＵＥが、第１のデータセットを使用すべきか、または第２のデータセットを使用すべきかについてそれぞれ各ＵＥを制御することができる。代わりに、ＢＣＣＨにおけるものなどのブロードキャスト・シグナリングを使用して、複数のＵＥに、第１のデータセットを使用するように、または第２のデータセットを使用するように指示することができる。ステップＳ２２において、ＵＥは、受信された表示に従って第１のデータセットを使用すべきか、または第２のデータセットを使用すべきかを決定する。
【００７０】
別の例においては、ステップＳ２２において、ＵＥは、ＵＥが、ＵＥのカテゴリに従って、第１のデータセットを使用するか、または第２のデータセットを使用するかを決定し、またＵＥのそのカテゴリは、
−  ＵＥの通信能力と、
−  ＵＥの実装サポートと、
ＵＥのサービス・レベルと
のうちの少なくともいずれか１つのＵＥ機能に関連している。
【００７１】
例えば、ＵＥが、ハイエンド・スマートフォンなどのハイエンドのＵＥである場合、通信能力または実装サポートは、高く、それゆえにＵＥは、高次の変調タイプを使用し、またそれに応じて第１のデータセットを使用することを決定することができる。あるいは、ＳＩＭカードからの加入者情報が、この加入者が高いサービス・レベルを有するＶＩＰ加入者であることを示す場合、ＵＥは、低次の変調タイプを使用し、またそれに応じて第１のデータセットを使用することを決定することができる。ＵＥによって使用され、またｅＮＢによって使用される判断基準は、ＵＥのカテゴリに従って、第１のデータセットまたは第２のデータセットを使用することを決定する際に、整合しているべきであることに留意すべきである。
【００７２】
その後に、ＵＥが、高次の変調を使用すべきであること、すなわち、第１のデータセットを使用すべきであることが決定される場合、ステップＳ２４において、ＵＥは、受信されたメッセージの中の第１のインデックスと、ＵＥにあらかじめ記憶される第１のデータセットとに従って、ＭＣＳを決定する。そうでない場合に、本方法は、ステップＳ２４’へと進み、またＵＥは、受信されたメッセージの中の第２のインデックスと、ＵＥにあらかじめ記憶される第２のデータセットとに従ってＭＣＳを決定する。第１のデータセットと、第２のデータセットとは、ＳＩＭカードに、機器それ自体にあらかじめ記憶され、またはＵＥが、ネットワークにアクセスするときに、前もってｅＮＢによって送信される可能性がある。
【００７３】
第２の態様においては、この実施形態においては、スモール・セルにおける限られた数のＵＥと、ＵＥの低モビリティの特性とを考慮すると、リンクの適応は、限られた時間ウィンドウの内部のあまりにも多すぎるＭＣＳレベルに広がらないこともある。この仮定の下に、我々は、２ステージのＭＣＳ表示を設計することができる。
【００７４】
本発明は、ＭＣＳをシグナリングする方法であって、
−  第１のインデックスを有するメッセージを生成するステップと、
−  第１のインデックスを有するメッセージをＵＥに対して送信するステップと、
−  第２のインデックスを有する別のメッセージを生成するステップと、
−  前記第２のインデックスを有する前記別のメッセージをＵＥに対して送信するステップと
を含む方法を提供しており、前記第２のインデックスは、第１のインデックスに対する調整を示すために使用され、また前記第１のインデックスと、前記第２のインデックスとは、一緒にＭＣＳレベルを決定するためのものである。
【００７５】
本発明はまた、ＭＣＳを受信する方法であって、
−  第１のインデックスを有するメッセージを受信するステップと、
−  第２のインデックスを有する別のメッセージを受信するステップであって、前記第２のインデックスは、第１のインデックスに対する調整を示すために使用され、また前記第１のインデックスと、前記第２のインデックスとは、ＭＣＳレベルを一緒に決定するためのものである、ステップと、
−  第１のインデックスと、第２のインデックスとに従ってＭＣＳを決定するステップと
を含む方法を提供している。
【００７６】
本発明の上記の態様は、以下で詳細に説明される。
【００７７】
第１のステージにおいて、５−ビットのＭＣＳフィールドは、既存のＭＣＳレベル（すなわち、ＩＭＣＳ１）を示す。望ましいＵＥに対するデータは、ｅＮＢにより、現在のＤＣＩフォーマットに従って送信されることが好ましい。ＵＥは、表１に示されるように現在のデータセットを参照して、ＩＭＣＳ１に対応するＭＣＳレベルを決定することができる。
【００７８】
基地局ｅＮＢは、連続したサブフレームの形で、または限られた分離を有する不連続なサブフレームの形でＩＭＣＳ１を調整するために第２のインデックスを送信することができることが好ましい。これは、第２のステージにおけるＭＣＳ表示である。現在のＤＣＩフォーマットを有するＭＣＳフィールドにおける５−ビットの第２のインデックスは、ｅＮＢによって同じＵＥに対して送信される。第２のインデックスを送信する方法は、上記方法だけには限定されないが、例えば、第２のインデックスを送信するときに、ｅＮＢが、マーク・ビットを使用して、第２のインデックスが第１のインデックスに対する調整であるが、新しいインデックスではないこと示すことができることを含むことが、理解され得る。第２のステージにおいて、第２のインデックスは、第１のインデックスに対する調整を示すために使用される。例えば、第２のインデックスは、オフセットΔＩＭＣＳを示しており、第１のインデックスと、第２のインデックスとによって一緒に示されるＭＣＳは、ＩＭＣＳ２＝ＩＭＣＳ１＋ΔＩＭＣＳに対応するＭＣＳ（レベル）である。
【００７９】
次いで、ＵＥは、すべての変調タイプから成る全体のデータセットを参照して、ＩＭＣＳ２についてのＭＣＳレベルを決定することができる。このデータセットは、２５６ＱＡＭなど、６４ＱＡＭよりも高次の１つまたは複数の変調タイプを含んでいる。このデータセットについての一例は、表２によって示される可能性がある。このデータセットはまた、低次のＭＣＳレベルを含むので、第１のステージにおいて、このデータセットは、使用される可能性もあり、それゆえに、現在の表１は、なしで済まされる可能性がある。
【００８０】
上記の第１のインデックスと、第２のインデックスとは、必ずしも５−ビットの長さだけに限定されるものとは限らないことに留意すべきである。それらは、５−ビットよりも短い可能性があり、また第１のインデックスと、第２のインデックスとを受け入れるための５ビットのＭＣＳフィールドの冗長ビットは、ランダムに満たされる可能性がある。
【００８１】
別の例においては、第１のデータセットは、所与の変調タイプと、対応する所与のコード・レートよりも高いコード・レートとの１つまたは複数の組合せを含んでいる。そこでは、「所与の変調タイプ」は、ＬＴＥにおける既存の変調タイプを、すなわち、ＱＰＳＫと、１６ＱＡＭと、６４ＱＡＭとを意味しており、また「所与のコード・レート」は、それぞれ既存の変調タイプの各々についての既存のコード・レートを意味する。表−１の中のＭＣＳレベルに対して、前記実施形態によって提供される第１のデータセットは、表−５の中に示される。
【００８２】
【表５】
2016512937.tif 000008
【００８３】
そこでは、変調タイプＱｍ＝２、４、６および８は、それぞれ、ＱＰＳＫ、１６ＱＡＭ、６４ＱＡＭおよび２５６ＱＡＭに対応する。表−１と比較すると、１６ＱＡＭと、６４ＱＡＭとの両方が、ＭＣＳレベルを獲得するために、現在の規格における所与のコード・レートよりも高いコード・レートと組み合わされることが、観察される可能性がある。また、２５６ＱＡＭの変調タイプと、対応する高いコード・レートとが、組合せのためにさらに導入される。これらの変調タイプはまた、ＭＣＳレベルを獲得するために、現在の規格における所与のコード・レートよりも低いコード・レートと組み合わされる可能性もあることが、理解され得る。
【００８４】
当業者なら、説明と、図面と、添付の特許請求の範囲とを検討することを通して、開示された実施形態に対する修正形態を理解し、また実現することができる。
【００８５】
単語「備えている／含んでいる（ｃｏｍｐｒｉｓｉｎｇ）」は、請求項の中に、または説明の中にリストアップされていない要素またはステップの存在を除外するものではない。ある要素に先行する単語「１つの（ａ）」または「１つの（ａｎ）」は、複数のそのような要素の存在を除外するものではない。本発明の実践において、請求項におけるいくつかの技術的特徴は、１つのコンポーネントによって実施される可能性がある。特許請求の範囲においては、括弧の間に配置されたどのような参照符号も、請求項を限定するように解釈されるべきではない。
【図１】
2016512937.tif 000009
【国際調査報告】
2016512937.tif 000010
2016512937.tif 000011
2016512937.tif 000012
2016512937.tif 000013
2016512937.tif 000014
2016512937.tif 000015